(57)【要約】【課題】取水口部分の奥行きや幅を大きくすることなく、排水速度を向上させ、洗面ボウル内の水が洗面ボウルから溢れることのないオーバーフロー装置を提供する。【解決手段】洗面ボウル内面に開口したオーバーフロー口に連通する取水口部と、上端が該取水口に連通し、上記取水口部より幅方向が拡大し断面積が大きくなった拡大空間部と、上記洗面ボウル底部に開口した排水口に連通する排水口部と、上記拡大空間部下端に開口した排水口と上記排水口部とを連通する導水管部とを備え、上記拡大空間部は、上記取水口部より下方に配置されている。【選択図】  図１
2009155917.tif 000002
【特許請求の範囲】
【請求項１】
洗面ボウル内面に開口したオーバーフロー口に連通する取水口部と、
上端が該取水口に連通し、上記取水口部より幅方向が拡大し断面積が大きくなった拡大空間部と、
上記洗面ボウル底部に開口した排水口に連通する排水口部と、
上記拡大空間部下端に開口した排水口と上記排水口部とを連通する導水管部と、
を備え、
上記拡大空間部は、上記取水口部より下方に配置されていることを特徴とするオーバーフロー装置。
【請求項２】
前記取水口部は、前記洗面ボウルの取付面と平行となるように水平方向に長く形成されることを特徴とする請求項１記載のオーバーフロー装置。
【請求項３】
前記拡大空間部は、前記洗面ボウルの取付面と平行となるように水平方向に長く形成されることを特徴とする請求項１または２に記載のオーバーフロー装置。
【請求項４】
前記取水口部と前記拡大空間部の奥行きは、同一であることを特徴とする請求項１乃至３のいずれかに記載のオーバーフロー装置。
【請求項５】
洗面ボウル内面に開口したオーバーフロー口と、
洗面ボウル底部に開口した排水口と、
上記オーバーフロー口と上記排水口とを連通するオーバーフロー装置とを備える洗面器装置であって、
上記オーバーフロー装置は、
上記オーバーフロー口に連通する取水口部と、
上端が該取水口に連通し、上記取水口部より幅方向が拡大し断面積が大きくなった拡大空間部と、
上記排水口に連通する排水口部と、
上記拡大空間部下端に開口した排水口と上記排水口部とを連通する導水管部とを備え、
上記拡大空間部は、上記取水口部より下方に配置されていることを特徴とする洗面器装置。
【発明の詳細な説明】
【技術分野】
【０００１】
本発明は、洗面ボウルから排水が溢れ出すことを防止するオーバーフロー装置に関する。また、本発明は、斯かるオーバーフロー装置を備える洗面器装置に関する。
【背景技術】
【０００２】
洗面器装置等には、洗面ボウルの満水時に更に給水が行われた場合に、洗面ボウルから水が溢れ出すことを防止するために、オーバーフロー装置が取設される。しかしながら、オーバーフロー装置の排水能力が不足して、洗面ボウルから水が溢れ出すことがある。
【０００３】
この問題を解決するものとして、槽体内側壁に開口したオーバーフロー口に連通する取水口を有した箱体と、該箱体の下壁に前記取水口と連通するように開口した排出口とから成るオーバーフロー装置であり、前記排出口内周面と前記箱体の後壁及び左右のサイド壁とを、ある程度の距離を設けて隔設したオーバーフロー装置が提案されている（例えば、特許文献１参照。）。
【０００４】
このオーバーフロー装置によれば、箱体内の水流が後壁と排水口との間を渦の水流を形成しつつ通過するので、渦によって空気抜きができ、乱流が発生せず排水スピードを向上させることができる。
【０００５】
【特許文献１】特開２００２−１５５５６２号公報
【発明の開示】
【発明が解決しようとする課題】
【０００６】
しかしながら、排出口内周面と箱体の後壁とを、ある程度の距離を設けて隔設する（箱体の奥行きを大きくする）ことには、以下の問題がある。
【０００７】
通常洗面ボウルは左右対称に形成され、その対称軸上に水栓が取り付けられ、オーバーフロー口も対称軸上に、そして、水栓が設けられた上面の前面側壁に開口される。ということは、図４（ａ）及び（ｂ）に示すように、オーバーフロー装置１０１の箱体１０２の背後には、水栓１０３に接続される配水管１０４が位置することになる。したがって、このままでは、箱体１０２の奥行きを大きくするスペース上の余裕はない。
【０００８】
配水管１０４の前に奥行きの大きな箱体１０２を配置するには、図４（ｃ）に示すように、洗面ボウル１００を手前に移動させるか、洗面ボウル１００を小さくするかして、オーバーフロー口１０５と配水管１０４との間にスペースを設ける必要がある。
【０００９】
しかしながら、前者は使用者が立つ洗面スペースを狭くしたり、洗面台自体の奥行きを大きくしてしまう。後者は洗面ボウル１００の容量が小さくなる。また、いずれにしても、水栓１０３自体を長くしなければならない。そこで、図５に示すように、オーバーフロー口１０５位置を対称軸上からずらすことも考えられるが、これは意匠上美しいとはいえない。
【００１０】
また、排出口内周面と箱体の左右のサイド壁とを、ある程度の距離を設けて隔設する（箱体の幅を大きくする）ことにも、以下の問題がある。
【００１１】
まず、箱体の幅を大きくすれば、取水口の周囲が長くなり、これに伴い、オーバーフロー口と取水口との間に挟装されるパッキンも長くなり、これをオーバーフロー口及び取水口に密着させるために、ビスを追加する必要が生じる等水密性の確保が大変になる。
【００１２】
また、図６に示すように、洗面ボウル１００が平面視円状の場合等、洗面ボウルの形状によっては、部分的に厚肉の部分１００ａが生じ、この部分だけ色調や艶が異なって外観不良が生じる。特に薄肉の洗面ボウル１００の場合、厚肉部１００ａの範囲が広くなって、この問題は顕著になる。
【００１３】
洗面ボウル１００に厚肉部分１００ａを設けず、箱体１０２の形状を洗面ボウル１００に合わせることもできるが、洗面ボウル毎に箱体の形状を変えなければならず、汎用性に欠ける。
【００１４】
本発明は、上述した事情を考慮してなされたもので、取水口部分の奥行きや幅を大きくすることなく、排水速度を向上させ、洗面ボウル内の水が洗面ボウルから溢れることのないオーバーフロー装置及び斯かるオーバーフロー装置を備える洗面器装置を提供することを目的とするものである。
【課題を解決するための手段】
【００１５】
本発明に係るオーバーフロー装置は、上述した課題を解決するために、洗面ボウル内面に開口したオーバーフロー口に連通する取水口部と、上端が該取水口に連通し、上記取水口部より幅方向が拡大し断面積が大きくなった拡大空間部と、上記洗面ボウル底部に開口した排水口に連通する排水口部と、上記拡大空間部下端に開口した排水口と上記排水口部とを連通する導水管部とを備え、上記拡大空間部は、上記取水口部より下方に配置されているものである。
【００１６】
そして、前記取水口部は、好適には、前記洗面ボウルの取付面と平行となるように水平方向に長く形成され、前記拡大空間部は、好適には、前記洗面ボウルの取付面と平行となるように水平方向に長く形成されることが望ましい。また、前記取水口部と前記拡大空間部の奥行きは、好適には、同一であることが望ましい。
【００１７】
他方、上述した課題を解決するために、洗面ボウル内面に開口したオーバーフロー口と、洗面ボウル底部に開口した排水口と、上記オーバーフロー口と上記排水口とを連通するオーバーフロー装置とを備える洗面器装置であって、上記オーバーフロー装置は、上記オーバーフロー口に連通する取水口部と、上端が該取水口に連通し、上記取水口部より幅方向が拡大し断面積が大きくなった拡大空間部と、上記排水口に連通する排水口部と、上記拡大空間部下端に開口した排水口と上記排水口部とを連通する導水管部とを備え、上記拡大空間部は、上記取水口部より下方に配置されているものである。
【発明の効果】
【００１８】
本発明に係るオーバーフロー装置及び斯かるオーバーフロー装置を備える洗面器装置によれば、取水口部分の奥行きや幅を大きくすることなく、排水速度を向上させ、洗面ボウル内の水が洗面ボウルから溢れることはないという効果が得られる。
【発明を実施するための最良の形態】
【００１９】
本発明に係るオーバーフロー装置及び斯かるオーバーフロー装置を備える洗面器装置の実施の形態について、添付図面を参照して説明する。図１は、本発明に係る洗面器装置１の一実施形態を示す図で、（ａ）は背面図、（ｂ）は（ａ）におけるＡ−Ａ断面図である。また、図２は、図１（ｂ）の要部を拡大したものである。
【００２０】
本実施形態に係る洗面器装置１は、洗面ボウル２と、洗面ボウル２の底部に設けられた排水口３と洗面ボウル２の側面上縁寄りに開口したオーバーフロー口４とを連通するオーバーフロー装置１０とから構成される。
【００２１】
オーバーフロー装置１０は、洗面ボウル２のオーバーフロー口４に水密に接続される取水口部１１と、上端がこの取水口部１１に連通し、取水口部１１より幅方向が拡大し断面積が大きくなった拡大空間部１２と、洗面ボウル２の排水口３に水密に接続される排水口部１４とを備え、拡大空間部１２下端に開口した排水口１２ａと排水口部１４とは、導水管部１３により連接される。
【００２２】
取水口部１１及び拡大空間部１２は、本実施形態に示す例では、図３に示すように一体に形成されている。
【００２３】
取水口部１１は、洗面ボウル２のオーバーフロー口４と連通する開口ＯＰと、この開口ＯＰ周りに取着され、オーバーフロー口４と取水口部１１との間の水密性を確保するリング状のパッキン１１ａと、取水口部１１を洗面ボウル２にねじ止めするためのビス孔１１ｂとを備える。
【００２４】
この開口ＯＰの大きさは、従来のオーバーフロー装置のものと同じ大きさであり、取水口部１１は洗面ボウル２の取付面と平行となるように水平方向に長く形成されている。したがって、この取水口部１１は従来の洗面ボウルに取付可能であり、汎用性を有する。
【００２５】
また、開口ＯＰの周囲の長さも従来と同じなので、オーバーフロー口４と取水口部１１との間に挟装されるパッキン１１ａの長さも従来のものと等しく、これをオーバーフロー口４及び取水口部１１に密着させるために、ビスを追加する等の必要性も生じない。
【００２６】
さらに、洗面ボウル２が平面視円状の場合等であっても、特段厚肉の部分が生じないので、一部分だけ色調や艶が異なって外観不良が生じるということもない。
【００２７】
拡大空間部１２は、取水口部１１より幅方向のみが拡大し、奥行き方向は、導水管部１３と略同一である。このように、奥行き方向には拡大しないので、背面に水栓に接続される給水管があっても、干渉することはない。拡大空間部１２は、洗面ボウル２の取付面と平行となるように水平方向に長く形成されている。拡大空間部１２の幅方向は、その下端において狭窄し、導水管部１３と連通可能な排水口１２ａが形成される。
【００２８】
本実施の形態に係る洗面器装置１は上記のように構成されており、以下その排水作用について説明する。
【００２９】
洗面ボウル２の排水口３を閉塞した状態で洗面ボウル２に水を溜め、水位がオーバーフロー口４の下縁を超えると、水はオーバーフロー装置１０の取水口部１１へと流れ出す。
【００３０】
取水口部１１から流入した水は拡大空間部１２へと導かれ、この拡大空間部１２にある程度水が溜まると、排水口１２ａ直上部分の水は重力により落下するから、それ以外の部分の内部に、排水口１２ａ直上部分に対する水頭差に対応する吸引力、すなわち、サイフォン力が発生する。
【００３１】
排水口１２ａ直上部分以外の水は、サイフォン力によって排水口１２ａ直上部分に向かって吸引され、導水管１３内が水で満たされる所謂満流流れとなって導水管１３内を排水口部１４に向かって流下する。拡大空間部１２内におけるサイフォン力の発生およびそれに引き続く満流流れの発生を、サイフォン現象という。
【００３２】
このように、拡大空間部１２においてはサイフォン現象が発生しやすくなり、排水速度が向上するので、拡大空間部１２を有しない従来のオーバーフロー装置のように、排水能力が不足して、洗面ボウルから水が溢れ出すことはない。
【００３３】
他方、洗面ボウル２の排水口３を閉塞した状態で洗面ボウル２に水を溜め、その後排水口３を開放すると、大量の水が一気に排水口部１４に流れ込むため、排水の一部が一時的に導水管１３を逆流することがある。
【００３４】
この水は、従来のオーバーフロー装置であれば、オーバーフロー口４から洗面ボウル２内に噴出する、或いは噴出には至らないものの、オーバーフロー口４内部に水が見えるという問題が発生する。
【００３５】
しかしながら、本発明に係るオーバーフロー装置１０によれば、逆流した水は拡大空間部１２に滞留するので、そのような事態は生じない。
【００３６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３７】
【図１】本発明に係る洗面器装置の一実施形態を示す図で、（ａ）は背面図、（ｂ）は（ａ）におけるＡ−Ａ断面図。
【図２】図１（ｂ）の部分拡大図。
【図３】拡大空間部の詳細図で、（ａ）は正面図、（ｂ）は側面図。
【図４】従来のオーバーフロー装置を示す図で、（ａ）は平面図、（ｂ）は対称軸上の断面図、（ｃ）は奥行きの大きい箱体を取り付けた場合の断面図。
【図５】オーバーフロー装置を対称軸上からずらした場合の平面図。
【図６】幅の大きい箱体を取り付ける場合の一例を示す図。
【符号の説明】
【００３８】
１  洗面器装置
２  洗面ボウル
３  排水口
４  オーバーフロー口
１０  オーバーフロー装置
１１  取水口部
１１ａ  パッキン
１１ｂ  ビス孔
１２  拡大空間部
１２ａ  排水口
１３  導水管部
１４  排水口部
ＯＰ  開口
【図１】
2009155917.tif 000003
【図２】
2009155917.tif 000004
【図３】
2009155917.tif 000005
【図４】
2009155917.tif 000006
【図５】
2009155917.tif 000007
【図６】
2009155917.tif 000008